(57)【要約】【課題】  攪拌軸１５の強度を低下させることなく、長期使用に耐え得る生ゴミ処理機１の提供を目的とする。【解決手段】  生ゴミ処理機１は、生ゴミを微生物により分解処理する処理槽３と、処理槽３の前側壁４及び後側壁５にそれぞれ設けられた第一軸受６、６に略水平軸心回りに回動自在に軸支された攪拌軸１５と、及び該攪拌軸１５に固設された攪拌羽根１４，１４，１４，・・・とを備え、回転する攪拌羽根１４，１４，１４，・・・により、処理槽３内の生ゴミを微生物着床材１３，１３，１３，・・・とともに攪拌する生ゴミ処理機１において、攪拌軸１４，１４，１４，・・・を回動自在に軸支するすべり軸受１０を処理槽３内に設けるとともに、処理槽３の槽外で前記第一軸受６，６の前方位置及び後方位置に、前記攪拌軸１５の前端部及び後端部を回動自在に軸支する第二軸受１７，１７をそれぞれ設けた構成にしてある。【選択図】      図２
2007069173.tif 000002
【特許請求の範囲】
【請求項１】
生ゴミを微生物により分解処理する処理槽と、処理槽の前側壁及び後側壁にそれぞれ設けられた第一軸受に略水平軸心回りに回動自在に軸支された攪拌軸と、及び該攪拌軸に固設された攪拌羽根とを備え、回転する攪拌羽根により、処理槽内の生ゴミを微生物着床材とともに攪拌する生ゴミ処理機において、攪拌軸を回動自在に軸支するすべり軸受を処理槽内に設けるとともに、処理槽の槽外で前記第一軸受の前方位置及び後方位置に、前記攪拌軸の前端部及び後端部を回動自在に軸支する第二軸受をそれぞれ設けたことを特徴とする生ゴミ処理機。
【請求項２】
すべり軸受が砲金製である請求項１に記載の生ゴミ処理機。
【請求項３】
第一軸受がころがり玉軸受であり、第二軸受が自動調心玉軸受である請求項１又は請求項２に記載の生ゴミ処理機。
【発明の詳細な説明】
【技術分野】
【０００１】
本発明は、生ゴミ処理機に係り、更に詳しくは生ゴミ処理機の攪拌機に関するものである。
【背景技術】
【０００２】
生ゴミ処理機は飲食店、工場、ホテル等から排出される生ゴミや排泄物といった有機物を処理する手段として利用されている。この生ゴミ処理機による処理方法は、生ゴミなどの有機物を生ゴミ処理機の処理槽内に投入し、処理槽内に充填されている微生物着床材とともに攪拌して微生物による発酵を促進させて、水及び炭酸ガス等に分解し、ここに更に生ゴミを投入して攪拌、発酵を繰り返すものであり、生成した炭酸ガスは大気中に放出され、水分は下水等で処理され、残った少量の残さいは取り出され肥料として利用されるか又は廃棄されるというものである（下記特許文献１参照）。
【０００３】
生ゴミ処理機の処理槽内には生ゴミ等を微生物着床材とともに攪拌する攪拌羽根が設けられており、該攪拌羽根は攪拌軸に、攪拌軸は固設され、処理槽の前側壁及び後側壁に設けられたころがり軸受により、水平軸心回りに回動自在に軸支されている。当然ながら投入される生ゴミは大きさや形状が様々で、細かく切断されたものばかりでなく体積の大きいものや長い形状のものもある。これらの生ゴミは攪拌羽根による攪拌が困難で、攪拌軸に大きな負荷をかけ、撓みや引張、捩れといった応力を与える結果、攪拌軸は壊れ易く、長期間の使用が困難となっている。
【０００４】
【特許文献１】特開２００１−２７６７８６号公報
【発明の開示】
【発明が解決しようとする課題】
【０００５】
本発明は、上記した従来の問題点に鑑みてなされたものであって、攪拌軸の強度を低下させることなく、長期使用に耐え得る生ゴミ処理機の提供を目的とする。
【課題を解決するための手段】
【０００６】
上記目的を達成するために、本発明に係る生ゴミ処理機は、生ゴミを微生物により分解処理する処理槽と、処理槽の前側壁及び後側壁にそれぞれ設けられた第一軸受に略水平軸心回りに回動自在に軸支された攪拌軸と、及び該攪拌軸に固設された攪拌羽根とを備え、回転する攪拌羽根により、処理槽内の生ゴミを微生物着床材とともに攪拌する生ゴミ処理機において、攪拌軸を回動自在に軸支するすべり軸受を処理槽内に設けるとともに、処理槽の槽外で前記第一軸受の前方位置及び後方位置に、前記攪拌軸の前端部及び後端部を回動自在に軸支する第二軸受をそれぞれ設けた構成にしてある。
【０００７】
また、前記構成において、すべり軸受が砲金製であるものである。
【０００８】
そして、前記した各構成において、第一軸受がころがり軸受であり、第二軸受が自動調心玉軸受であるものである。
【発明の効果】
【０００９】
本発明にかかる生ゴミ処理機によれば、攪拌軸が処理槽内、即ち前後の第一軸受間においてもすべり軸受により回動自在に支持されるので、攪拌軸の撓み変形量が小さくなる。また、処理槽内で撓み変形量が小さくなった攪拌軸は、更にその両端部が第一軸受のみならず第２軸受にも回動自在に支持されるので、生ゴミ及び微生物着床材を攪拌する際攪拌羽根に生ゴミが絡まり回転負荷のかかった状態で運転し、攪拌軸が撓みや引張、捩れの応力を受けても、攪拌軸の強度を高く維持できて壊れにくく、長期間の使用が可能となる。
【００１０】
また、すべり軸受が砲金製である場合には、砲金は軟質金属製なので攪拌軸を傷つけにくい。更に、生ゴミからの水分や好気性微生物を活性化させるために供給される水によりすべり軸受が錆びるといったことがなく、また、砲金は磨耗にも強いためすべり軸受の強度を上げることができる。
【００１１】
そして、第一軸受をころがり軸受とし、第二軸受を自動調心玉軸受とした場合には、攪拌軸が処理槽内で回転負荷を受けて撓んだ際、処理槽の前側壁及び後側壁のころがり軸受が攪拌軸の撓みの支点の一つとして働き、ころがり軸受より更に前後方にある攪拌軸の前端部及び後端部は軸心が水平より傾いた状態となる。このとき自動調心玉軸受はその自動調心性により攪拌軸の軸心が傾いても適切に攪拌軸を軸支することが可能である。よって、攪拌軸に回転負荷がかかり、攪拌軸の前後端部で軸心が水平より傾いた状態であっても攪拌軸及び自動調心玉軸受を傷つけることがなく、攪拌軸の強度を低下させない。
【発明を実施するための最良の形態】
【００１２】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る生ゴミ処理機の断面図であり、図２におけるＢ−Ｂ線矢視断面図である。また、図２は図１におけるＡ−Ａ線矢視断面図である。図３は本発明の一実施形態にかかる生ゴミ処理機の部分拡大図である。
各図において、この実施形態に係る生ゴミ処理機１は、生ゴミを分解処理する処理槽３と、処理槽３の下方で分解処理された生ゴミの残さいや水等を受け止める受皿１６が箱体状のケーシング２内に設置されている。
【００１３】
処理槽３は、正面視略Ｕ字状の処理槽本体７が二基併設された構造をしている。各処理槽本体７内には、複数枚の攪拌羽根１４，１４，１４，・・・の固設された攪拌軸１５が、処理槽３の前側壁４及び後側壁５にそれぞれ設けられた第一軸受６，６に水平軸心Ｃ回りに回動自在に軸支されている。更に、処理槽３の槽外の第一軸受６の前方位置及び後方位置に、攪拌軸１５の前端部及び後端部を回動自在に軸支する第二軸受１７，１７がそれぞれ設けられている。
【００１４】
第一軸受６は、図３に示すように、例えば単列深溝玉軸受等のころがり軸受２６であり、第二軸受１７は自動調心玉軸受２７である。自動調心玉軸受２７，２７は処理槽３の前側壁４及び後側壁５の各外面に第二軸受支持台１９，１９を介して設置されている。自動調心玉軸受２７の玉３０，３０，３０，・・・は複列であり、外輪２８と内輪２９の間に保持され、外輪２８の内側軌道２１は球面で、その曲率中心が軸受中心と一致している。
【００１５】
攪拌軸１５はチェーン等で駆動連結された駆動モータ２４により回転駆動されようになっている。また、処理槽本体７，７の底面部には、受皿１６へ残さい等が落ちるよう例えば孔径１ｃｍの多数の通孔８，８，８，・・・が設けられている。通孔８下方で処理槽３底面部の前部及び後部には、上面開口が漏斗状に形成された配管１８，１８がそれぞれ設置されている。
【００１６】
処理槽３内の前後中央部には、攪拌軸１５を回動自在に軸支する砲金製のすべり軸受１０が設けられ、すべり軸受１０はステンレス製の軸受保持具１２を介して支持部材１１により支持される。即ち、処理槽３内の、前後中央部で左右側壁間に架設されるとともに、脚部が二基の処理槽本体７の連結部分に突設された支持部材１１が設けられている。かかる支持部材１１にすべり軸受１０を保持するすべり軸受保持具１２が螺止される。すべり軸受保持具１２はステンレス鋼により構成され、正面視略正方形状で対角線に沿って二部材に分割して形成され、正方形の中央部にすべり軸受１０を保持する円柱状の孔が形成されている。かかる孔にすべり軸受１０が収容保持されたのち二部材が一体に螺止される。
【００１７】
引続き、生ゴミ処理機１の作用につき、以下に説明する。
投入口９より投入された生ごみ等は内部に充填されている例えばそば殻などの微生物着床材１３とともに攪拌羽根１４の回転により攪拌されて発酵が促進され、次第に水及び炭酸ガス等に分解発酵する。処理層３で生じた生ゴミの残さいや水は通孔８を通って配管１８に導かれ受皿１６内に貯留される。
【００１８】
ここで、投入される生ゴミのうち体積の大きい物や形状の長い物が攪拌羽根１４に絡まった際、攪拌軸１５に大きな負荷がかかり、撓みや引張、捩れといった応力を与えるが、攪拌軸１５は処理槽３内、即ち前後の第一軸受６，６間においてもすべり軸受１０により回動自在に支持されるので、攪拌軸１５の撓み変形量が小さくなり、攪拌軸１５が変形させられるといったことが少ない。また、すべり軸受１０は軟質金属製なので攪拌軸１５を傷つけにくく、すべり軸受１０内に生ゴミが入り込んでもすべり面から生ゴミを容易に取り去ることができ、ころがり軸受を使用した場合のように軸受内の深溝に生ゴミが留まって、攪拌軸１５が回転困難又は不能になるといったことがない。
【００１９】
また、すべり軸受１０が砲金製であるので、生ゴミからの水分や好気性微生物を活性化させるために供給される水によりすべり軸受１０が錆びるといったことがなく、また、砲金は磨耗にも強いためすべり軸受１０の強度を上げることができる。
【００２０】
そして、処理槽３内のすべり軸受１０で撓み変形量が小さくなった攪拌軸１５は、更にその両端部が第一軸受６，６のみならず第二軸受１７，１７にも回動自在に支持されるので、生ゴミ及び微生物着床材１３を攪拌する際攪拌羽根１４に生ゴミが絡まり回転負荷のかかった状態で運転し、攪拌軸１５が撓みや引張、捩れの応力を受けても攪拌軸の強度を高く維持でき、壊れにくく、長期間の使用が可能である。
【００２１】
そして、第一軸受６がころがり軸受２６であり、第二軸受１７が自動調心玉軸受２７であるので、図４（ａ）に概念的に示すように、攪拌軸１５が処理槽３内で回転負荷を受け撓んだ際、攪拌軸１５の前寄り及び後寄りに設けられたころがり軸受２６，２６がそれぞれ攪拌軸１５の撓みの支点の一つとして働き、ころがり軸受２６，２６より更に前後方にある攪拌軸１５の前端部及び後端部は攪拌軸１５の撓みにより軸心が水平より傾いた状態となる。このとき自動調心玉軸受２７はその自動調心性により攪拌軸１５の軸心が傾いても適切に攪拌軸１５を軸支することが可能である。よって、攪拌軸１５に回転負荷がかかり、攪拌軸１５の前後端部で軸心Ｃが水平より傾いた状態であっても攪拌軸１５及び自動調心玉軸受２７を傷つけることがなく、攪拌軸の強度を低下させない。
【００２２】
因みに、図４（ｂ）は従来の生ゴミ処理機の攪拌構造であり、処理槽３の前後側壁４，５に攪拌軸１５の第一軸受６（２６），６（２６）だけが設けられた例であり、攪拌軸１５全体としての撓みが非常に大きくなり、攪拌軸１５への負荷が高くなっている。
【００２３】
また、図３に示す自動調心玉軸受２７の外輪２８の内側軌道２１は球面で、その曲率中心が軸受中心と一致しているため、自動調心玉軸受２７の処理槽３への取り付けが容易で、万が一取り付け誤差があった場合でも、軸受中心と軸心が自動的に調整され、自動調心玉軸受２７自体の損傷もほとんどない。
【００２４】
尚、上記の実施形態では、すべり軸受を砲金により構成したが、本発明のすべり軸受はそれに限定されるものでなく、例えば鋳鉄、黄銅、青銅、合金、ホワイトメタル、アルミニウム合金、カドミウム合金といった軟質金属はもとより、鉄、鋼、ステンレス鋼、カーボングラファイト、合成樹脂あるいはセラミック等であってもよい。また、本発明により分解処理されるのは調理屑、食べ残し、生花、茶殻等の生ゴミに限定されず、汚物等も含まれる。また、微生物着床材はそば殻に限定されるものでなく、例えば、籾殻、半炭化チップ、自然天然の多孔石、合成繊維束等でもよい。また、すべり軸受保持具はステンレス鋼に限定されず、鋼、銅、ニッケル、チタン、マグネシウム及びこれらの合金等であってもよい。
【００２５】
また、第一軸受６，６を構成するころがり軸受２６，２６は単列深溝玉軸受に限定されず、複列深溝玉軸受、単列又は複列のカウンタボア玉軸受やアンギュラ玉軸受といったラジアル軸受又はスラスト軸受であってもよく、自動調心玉軸受であってよい。第一軸受６，６が自動調心玉軸受であった場合には、第二軸受１７，１７が自動調心玉軸受であった場合と同様の効果が期待できるため、攪拌軸１５の撓みなどに対する強度が更に向上され、軸受の設置も容易となる。
【図面の簡単な説明】
【００２６】
【図１】本発明の一実施形態に係る生ゴミ処理機の断面図である。
【図２】図１におけるＡ−Ａ線矢視断面図である。
【図３】本発明の一実施形態にかかる生ゴミ処理機の部分断面図である。
【図４】本発明の一実施形態にかかる攪拌軸の動作概念図である。
【符号の説明】
【００２７】
１  生ゴミ処理機
３  処理槽
４  前側壁
５  後側壁
６  第一軸受
１０  すべり軸受け
１４  攪拌羽根
１５  攪拌軸
１７  第二軸受
２６  ころがり玉軸受
２７  自動調心玉軸受
Ｃ  軸心
【図１】
2007069173.tif 000003
【図２】
2007069173.tif 000004
【図３】
2007069173.tif 000005
【図４】
2007069173.tif 000006